(57)【特許請求の範囲】
【請求項１】
シートベルトに取り付けられ、つまみ部と差込片を有するタングと、
前記タングの差込片が挿入される受け穴を有するバックルとが互いに結合することで前記シートベルトに装着されるシートベルト用のシートベルト補助具であって、
第１ベルトと、
前記第１ベルトの一端に取り付けられ、前記タング側が開放した箱形をし、底面に前記タングの差込片が貫通する第１貫通穴を有し、前記タング側に前記タングのつまみ部が係止する受け部を有する第１固定具と、
前記第１ベルトの他端に取り付けられた第１留め具とを具備し、
前記第１固定具は前記バックルと前記タングとに挟まれた状態で、前記タングの差込片が前記第１貫通穴を貫通して前記バックルの受け穴に挿入されると共に、
前記つまみ部が前記受け部に係止したときに、前記タングと共に前記バックルに結合されることを特徴とするシートベルト補助具。
【請求項２】
シートベルト用のシートベルト補助具であって、
第２ベルトと、
前記第２ベルトの一端に取り付けられた第２固定具と、
前記第２ベルトの他端に取り付けられた第２留め具とを具備し、
前記第２固定具は、前記シートベルトが折り曲げられた状態で挿通可能な第２貫通穴が設けられた平板体と、前記平板体とは別体で、前記平板体に連結され、前記第２貫通穴の開口部が開口している長さより長い固定片とを備え、
前記第２固定具は、前記シートベルトが折り曲げられた状態で前記第２貫通穴を挿通し、この折り曲げられた部分からなる輪の中に前記固定片が挿入され、前記シートベルトが引っ張られて前記輪の中で前記固定片が拘束されることにより前記シートベルトに固定されることを特徴とするシートベルト補助具。
【請求項３】
前記第１ベルト、もしくは前記第２ベルトが接続され、幼児に装着される身体固定具を具備し、
前記第１留め具、もしくは第２留め具は前記身体固定具に取り付け可能であり、
前記身体固定具は、外装体底面部と、前記外装体底面部の両側にそれぞれ取り付けられ、幼児の腕を出すための穴が設けられた外装体側面部とを備え、
前記外装体底面部は、硬質の板と、クッションとを備えることを特徴とする請求項１、もしくは請求項２に記載のシートベルト補助具。
【請求項４】
前記身体固定具は、自由端に肩部固定ベルト差込片を有する２本の肩部固定ベルトと、前記肩部固定ベルト差込片と着脱可能に結合するロック機構を自由端に有する腰部固定ベルトとを備えることを特徴とする請求項３に記載のシートベルト補助具。
【発明の詳細な説明】
【技術分野】
【０００１】
本発明は、自動車、航空機、船舶のような乗り物に備えられたシートベルトとともに使用されるシートベルト補助具に関する。
【背景技術】
【０００２】
幼児を乗り物に安全に乗せるためのシートベルト補助具が知られている。【０００３】
従来の幼児用安全ベルトが特開平９−２７７９０２号公報に開示されている。この幼児用安全ベルトは、シートベルトを通す輪、又はシートベルトを通すことのできる器具を幼児に固定するベルトに設けることを特徴としている。【０００４】
従来の多機能チャイルドシートが特開２００３−２５０６７０号公報に開示されている。この多機能チャイルドシートは、チャイルドシートとしての高い安全性を備えている。また、この多機能チャイルドシートは、新生児期から幼児期間に渡る長期使用と、多目的利用とにより、経済的、及び物質的節約を得ることを主眼としている。【０００５】
従来のシートベルト補助具が特開平１１−１４７４４８号公報に開示されている。このシートベルト補助具は、中央片の上端及び下端にＴ字状の上部片及び逆Ｔ字状の下部片をそれぞれ備え、上部片の上部から下方に向かって折り返された折り返し片を備えている。また、このシートベルト補助具は、カバーを備えている。【０００６】
従来の乳幼児用シートベルトが実開平７−４４７１１号公報に開示されている。この乳幼児用シートベルトは、ベビーシートを嫌がる乳幼児を抱いて車に乗る場合に乳幼児の安全を確保するためのものである。この乳幼児用シートベルトは、乳幼児を保持する部分と、この部分をシートベルトに連結する帯とを備えている。【０００７】
従来の子供用安全保護服が特開２００２−３６３８０７号公報に開示されている。この子供用安全保護服は、後身ごろにシートベルトを通す切れ目が設けられた胴衣と、胴衣に取り付けられた股ベルトと、抱っこ又はおんぶのためのベルトを取り付けるための留め具とを備えている。
【発明の開示】
【０００８】
本発明の目的は、既存のシートベルトに改変を加えることなく使用でき、シートベルトへの着脱が容易なシートベルト補助具を提供することである。
【０００９】
以下に、（発明を実施するための最良の形態）で使用される番号を用いて、課題を解決するための手段を説明する。これらの番号は、（請求の範囲）の記載と（発明を実施するための最良の形態）との対応関係を明らかにするために付加されたものである。ただし、それらの番号を、（請求の範囲）に記載されている発明の技術的範囲の解釈に用いてはならない。
【００１０】
本発明によるシートベルト補助具は、バックル（３、１９）と、前記バックルに差し込まれるタング（２、１７）とが結合することで装着されるシートベルト用のシートベルト補助具である。
【００１１】
本発明によるシートベルト補助具は、シートベルト（１）に取り付けられ、つまみ部（２ａ）と差込片（２ｂ）を有するタング（２）と、
前記タング（２）の差込片（２ｂ）が挿入される受け穴（３ｂ）を有するバックル（３）とが互いに結合することで前記シートベルト（１）に装着される。
シートベルト補助具は、第１ベルト（１１（１１ａ））と、
前記第１ベルト（１１）の一端に取り付けられ、前記タング（２）側が開放した箱形をし、底面に前記タング（２）の差込片（２ｂ）が貫通する第１貫通穴（８ａ）を有し、前記タング（２）側に前記タング（２）のつまみ部（２ａ）が係止する受け部（８ｂ）を有する第１固定具（８）と、
前記第１ベルト（１１）の他端に取り付けられた第１留め具（１１ｄ）とを具備する。
シートベルト補助具は、前記第１固定具（８）が前記バックル（３）と前記タング（２）とに挟まれた状態で、前記タング（２）の差込片（２ｂ）が前記第１貫通穴（８ａ）を貫通して前記バックル（３）の受け穴（３ｂ）に挿入されると共に、
前記つまみ部（２ａ）が前記受け部（８ｂ）に係止したときに、前記タング（２）と共に前記バックル（３）に結合される。
本発明によるシートベルト補助具は、既存のシートベルトに改変を加えることなく使用でき、シートベルトへの着脱が容易である。
【００１２】
また、本発明によるシートベルト補助具は、シートベルト用のシートベルト補助具であって、
第２ベルト（１１（１１ｂ））と、
前記第２ベルト（１１）の一端に取り付けられた第２固定具（９）と、
前記第２ベルト（１１）の他端に取り付けられた第２留め具（１１ｄ）とを具備する。
前記第２固定具（９）は、前記シートベルト（１）が折り曲げられた状態で挿通可能な第２貫通穴（９ｄ）が設けられた平板体（９ａ）と、前記平板体（９ａ）とは別体で、前記平板体（９ａ）に連結され、前記第２貫通穴（９ｄ）の開口部が開口している長さより長い固定片（１０）とを備え、
前記シートベルト（１）が折り曲げられた状態で前記第２貫通穴（９ｄ）を挿通し、この折り曲げられた部分からなる輪の中に前記固定片（１０）が挿入され、前記シートベルト（１）が引っ張られて前記輪の中で前記固定片（１０）が拘束されることにより前記シートベルト（１）に固定される。
【００１３】
さらに、本発明によるシートベルト補助具においては、前記第１ベルト（１１（１１ａ））、もしくは前記第２ベルト（１１（１１ｂ））が接続され、幼児に装着される身体固定具（４）を具備することもある。
前記第１留め具、もしくは第２留め具（１１ｄ）は前記身体固定具（４）に取り付け可能であり、
前記身体固定具（４）は、外装体底面部（４ｆ）と、前記外装体底面部（４ｆ）の両側にそれぞれ取り付けられ、幼児の腕を出すための穴（４ｄ）が設けられた外装体側面部（４ｇ）とを備える。
前記外装体底面部（４ｆ）は、硬質の板（５）と、装着感を良くするための部材であるクッション（６）とを備える。
本発明によるシートベルト補助具を用いると、幼児は適切な姿勢に保持される。
【００１４】
さらに、本発明によるシートベルト補助具は、前記シートベルト補助具において、前記身体固定具（４）が、自由端に肩部固定ベルト差込片（７ｄ）を有する２本の肩部固定ベルト（７ａ）と、前記肩部固定ベルト差込片（７ｄ）と着脱可能に結合するロック機構（７ｃ）を自由端に有する腰部固定ベルト（７ｂ）とを備えることがある。
本発明によるシートベルト補助具を用いると、幼児が確実に固定される。
前記第２留め具（１１ｄ）は前記身体固定具（４）に取り付け可能であり、本発明によるシートベルト補助具は、幼児をシートベルトの異なる２箇所に固定することが可能である。
【００１５】
本発明によれば、既存のシートベルトに改変を加えることなく使用でき、シートベルトへの着脱が容易なシートベルト補助具が提供される。
【図面の簡単な説明】
【００１６】
【図１】図１は、本発明の第一実施例に係るシートベルト補助具を示す斜視図である。
【図２】図２は、本発明の第一実施例に係るシートベルト補助具を使用した状態を正面からの視点で示す。
【図３】図３は、本発明の第一実施例に係るシートベルト補助具を使用した状態を上からの視点で示す。
【図４】図４は、身体固定具を示す。図４（ａ）は、身体固定具の上面図である。図４（ｂ）は、身体固定具の側面図である。
【図５】図５は、身体固定具の使用方法を説明するための図である。図５（ａ）は、身体固定具を展開した状態を示す。図５（ｂ）は、身体固定具に幼児を載せた状態を示す。図５（ｃ）は、肩部固定ベルトと腰部固定ベルトとを結合した状態を示す。図５（ｄ）は、身体固定具を閉じた状態を示す。
【図６】図６は、身体固定具の外装体について説明するための図である。図６（ａ）は、外装体の表側について示す。図６（ｂ）は外装体の裏側について示す。
【図７】図７は、身体固定具の背面板について説明するための図である。図７（ａ）は、背面板の表面について示す。図７（ｂ）は、背面板の裏面について示す。
【図８】図８は、身体固定具のクッションについて説明するための図である。図８（ａ）は、クッションの表面について示す。図８（ｂ）は、クッションの裏面について示す。
【図９】図９は、身体固定具の身体固定ベルトについて説明するための図である。
【図１０】図１０は、固定用ベルトの斜視図である。
【図１１】図１１は、図１０に示す固定用ベルトの固定具をａ―ａ’切断線で切断した断面を示す。
【図１２】図１２は、固定用ベルトの使用方法を説明するための図である。図１２（ａ）は、タング差込片を固定具に通す前の状態を示す。図１２（ｂ）は、タング差込片を固定具に通した状態を示す。図１２（ｃ）は、タング差込片をバックルに指し込んだ状態を示す。
【図１３】図１３は、固定用補助ベルトの斜視図である。
【図１４】図１４は、固定用補助ベルトの使用方法を説明するための図である。図１４（ａ）は、シートベルトを折り曲げた状態を示す。図１４（ｂ）は、シートベルトの折り曲げた部分を平板体に通した状態を示す。図１４（ｃ）は、シートベルトの輪の中に固定具を指し込んだ状態を示す。図１４（ｄ）は、シートベルトを引っ張り、平板体をシートベルトに固定した状態を示す。
【図１５】図１５は、本発明の第二実施例に係るシートベルト補助具を示す斜視図である。
【図１６】図１６は、本発明の第二実施例に係るシートベルト補助具の使用方法を説明するための図である。図１６（ａ）は、タング差込片を固定具に通す前の状態を示す。図１６（ｂ）は、タング差込片を固定具に通した状態を示す。図１６（ｃ）は、タング差込片をバックルに指し込んだ状態を示す。
【図１７】図１７は、固定用第２補助ベルトの斜視図である。
【図１８】図１８は、図２に示すシートベルト補助具に固定用第２補助ベルトを装着した状態を示す。
【図１９】図１９は、固定具の外部材受け部に設けられたサイズ調整のための内部材を示す。図１９（ａ）は、内部材を外部材受け部に取り付けた状態を示す。図１９（ｂ）は、内部材を外部材受け部から取り外した状態を示す。
【図２０】図２０は、通常の２点式シートベルトとともに本発明に係る固定用ベルトを装着した状態を示す。
【図２１】図２１は、本発明の第一実施例に係るシートベルト補助具を幼児単独で使用した状態を示す。
【発明を実施するための最良の形態】
【００１７】
以下、添付図面を参照して本発明のシートベルト補助具を説明する。【００１８】
［第１実施例］
本発明の第一実施例について図１から図１４を利用して説明する。本発明の第一実施例に係るシートベルト補助具は、通常の２点式シートベルト、又は３点式シートベルトと共に使用される。【００１９】
シートベルト補助具は、図１から図３に示すように、身体固定具４と、固定用ベルト１１ａと、固定用補助ベルト１１ｂとを備えている。身体固定具４は、幼児１５の身体の少なくとも頭部から腰部までを固定することが可能である。固定用ベルト１１ａは、一端が身体固定具４に着脱可能であり、他端には固定具８が設けられている。シートベルト１の着脱機構を構成している差し手のタング２及び受け手のバックル３は、固定具８が間に介在した状態で互いに嵌合する。固定具８は、シートベルト１の着脱機構の操作及び機能を阻害しないから、タング２とバックル３とは、着脱可能、且つ、堅牢に嵌合する。固定用補助ベルト１１ｂは、一端が身体固定具４に着脱可能であり、他端には固定用補助ベルト１１ｂをシートベルト１に接続する固定具９が設けられている。【００２０】
図１に示すように、シートベルト１には、タング２が取り付けられている。シートベルト１は、タング２よりも下側のシートベルト胴あて部１ａとタング２よりも上側のシートベルト胸あて部１ｂとを有している。【００２１】
図２に示すように、シートベルト胴あて部１ａは、シートベルト１の乗員又は乗客１４の腹に当たる部分である。シートベルト胸あて部１ｂは、シートベルト１の乗員又は乗客１４の胸に当たる部分である。乗員又は乗客１４は、幼児１５の同乗者である。【００２２】
（Ａ）身体固定具４は、図４及び図５に示すように、幼児１５の身体を包み込み保持するための外装体４ａと、外装体４ａに固定用ベルト１１ａ及び固定用補助ベルト１１ｂを接続するための複数の取り付け具４ｅと、幼児の背中側に配置され、幼児の身体の少なくとも頭部から腰部を固定するための背面板５と、クッション６と、幼児の身体を固定するための身体固定ベルト７とを備えている。【００２３】
（Ｂ）外装体４ａは、図５及び図６に示すように、外装体底面部４ｆと、外装体底面部４ｆの両側に設けられた外装体側面部４ｇと、複数の取り付け具４ｅとを備えている。外装体底面部４ｆの長さは、外装体底面部４ｆの上に幼児１５を寝かせた状態で、少なくとも幼児１５の頭部から腰部までの長さより長い。外装体底面部４ｆと外装体側面部４ｇとは、折り部４ｈにおいて折り曲げ自在である。外装体底面部４ｇは、スライドファスナ４ｊが設けられた袋体である。スライドファスナ４ｊを開けることにより出来る開口部５ｆから背面板５を袋体に挿入し、スライドファスナ４ｊを閉めると、背面板５が外装体底面部４ｆに固定される。袋体をなしている外装体底面部４ｆの表面の四隅には、背面板５に設けられた留め具メス５ａを露出させるための留め穴４ｉが設けられている。外装体底面部４ｆの表面には、中央やや上に肩部固定ベルト通し穴４ｂを横に２つ並べたものが複数段設けられ、中央下に腰部固定ベルト通し穴４ｃを１つ開けたものが複数段設けられている。外装体底面部４ｆの裏面にも、表面と同様に肩部固定ベルト通し穴４ｂ、及び腰部固定ベルト通し穴４ｃが設けられ、これらは、表面に設けられた肩部固定ベルト通し穴４ｂ、及び腰部固定ベルト通し穴４ｃとそれぞれ連通している。【００２４】
外装体４ａの両側の外装体側面部４ｇには、幼児の腕を出すための穴４ｄが左右対称に設けられている。外装体側面部４ｇは、外装体底面部４ｆの両側に設けられた折り部４ｈにおいて幼児を包むように折り畳まれる。外装体側面部４ｇのふち部及び側面には、固定用ベルト１１ａや固定用補助ベルト１１ｂなどを接続するための取り付け具４ｅが複数設けられている。外装体側面部４ｇのふち部にファスナなどの開閉具を追加して設け、ふち部を開閉自在にしても良い。外装体４ａの材料には、軽量でシートベルトと同程度の強度を持ち、通気性のある布が望ましい。【００２５】
外装体底面部４ｆの両側に設けられた外装体側面部４ｇは、取り付け具４ｅが設けられている外装体側面部４ｇのふち部において閉じられる。また、外装体側面部４ｇの外側面の折り部４ｈ近傍には、取り付け具４ｅが設けられている。【００２６】
（Ｃ）背面板５は、図７に示すように、軽量で優れた強度をもつ硬質の材料よりなり、背面板表面５ｄの四隅にはクッションを固定するための留め具メス５ａが設けられている。背面板５には、外装体底面部４ｆに設けられた肩部固定ベルト通し穴４ｂ及び腰部固定ベルト通し穴４ｃに対応するように、中央やや上に背面板肩部固定ベルト通し穴５ｂを横に２つ並べたものが複数段設けられ、中央下に背面板腰部固定ベルト通し穴５ｃを１つ開けたものが複数段設けられている。【００２７】
身体保持具４が硬質の材料からなる背面板５を備えているため、幼児は適切な姿勢に保持される。【００２８】
背面板肩部固定ベルト通し穴５ｂ及び背面板腰部固定ベルト通し穴５ｃは、背面板表面５ｄから背面板裏面５ｅまで背面板５を貫通している。【００２９】
（Ｄ）クッション６は、図８に示すように、クッション表面６ｅの頭部にあたる部分に頭部保護部６ｄを備えている。クッション６は、衝突事故の際に幼児の身体にかかる衝撃を和らげる機能と幼児の乗り心地を高める機能を持つ。クッション６は身体固定具４の背面部を覆う形状をしている。外装体４ａと背面板５とクッション６を着脱可能に固定するときは、外装体底面部４ｆに背面板５を挿入し、外装体底面部４ｆの上にクッション６を重ね合わせ、クッション裏面６ｆに設けられた留め具オス６ａを背面板５に設けられた留め具メス５ａと結合させる。【００３０】
クッション６には、外装体底面部４ｆに設けられた肩部固定ベルト通し穴４ｂ及び腰部固定ベルト通し穴４ｃに対応するように、中央やや上にクッション肩部固定ベルト通し穴６ｂを横に２つ並べたものが複数段設けられ、中央下にクッション腰部固定ベルト通し穴６ｃを１つ開けたものが複数段設けられている。【００３１】
（Ｅ）身体固定ベルト７は、図９に示すように、幼児を身体固定具４に固定するためのＹ字状のベルトであって、２本の肩部固定ベルト７ａと腰部固定ベルト７ｂとを備えている。２本の肩部固定ベルト７ａは、外装体裏面４ｋに設けられた肩部固定ベルト通し穴４ｂから幼児の体格に適するように選択された２つの穴に各々挿入し、外装体底面部４ｆに装着された背面板５の背面板肩部固定ベルト通し穴５ｂと、クッション肩部固定ベルト通し穴６ｂとを貫通させる。同様に、腰部固定ベルト７ｂも、外装体裏面４ｋに設けられた腰部固定ベルト通し穴４ｃから幼児に適するように選択された１つの穴に挿入し、この穴と重ねられた背面板腰部固定ベルト通し穴５ｃと、クッション腰部固定ベルト通し穴６ｃとを貫通させる。２本の肩部固定ベルト７ａの先端には差込片７ｄがそれぞれ設けられている。腰部固定ベルト７ｂの先端には、指込片７ｄを受ける受け具であるロック機構７ｃが設けられている。ロック機構７ｃは、ロック機構７ｃに挿入された２つの差込片７ｄを固定し、「Ｐｕｓｈ」と書かれた部分が押されると差込片７ｄを解放する。身体固定ベルト７には長さの調節のための調節具７ｅが設けられている。【００３２】
図５に示すように、身体固定ベルト７においては、肩部固定ベルト７ａの幼児１５の肩に当たる部分に肩部クッション７ｆが取り付けられ、腰部固定ベルト７ｂの幼児１５の股間に当たる部分に腰部クッション７ｇが取り付けられている。図９に示すように、肩部クッション７ｆ及び腰部クッション７ｇには、互いに係合可能な面ファスナ７ｈ及び面ファスナ７ｉが結合されている。肩部クッション７ｆ及び腰部クッション７ｇは、着脱と位置の調整が可能である。【００３３】
（Ｆ）固定具８は、図１及び図１０から図１２に示すように、乗り物に備え付けられたシートベルト１の着脱機構に着脱可能に取り付けられ、固定用ベルト１１ａをシートベルト１に固定する部品である。固定具８は、シートベルト１の着脱機構を構成するタング２及びバックル３に挟まれる形で取り付けられる。固定具８は、着脱機構の機能を阻害しない。固定具８は、上面が開放された箱形をしており、その底面にはスリット状の貫通穴８ａが設けられている。【００３４】
固定具８には、タング差込片２ｂが、固定具８の上面から差し込まれる。このとき、タングつまみ部２ａはタング受け部８ｂで止められ、タング差込片２ｂのみが固定具８の底面に設けられた貫通穴８ａを貫通する。そして、タング差込片２ｂは、シートベルト１のバックル３に設けられた受け穴３ｂに挿入され、バックル３と結合される。【００３５】
固定具８の他の実施例を図１９に示す。固定具８は、外部材２１と内部材２２とを備えている。外部材２１には、外部材受け部２１ｂが形成され、外部材受け部２１ｂの底面には外部材貫通穴２１ａが設けられている。外部材受け部２１ｂに嵌合可能な内部材２２には、内部材受け部２２ｂが形成され、内部材受け部２２ｂの底面には内部材貫通穴２２ａが設けられている。内部材受け部２２ｂは、タング受け部８ｂに対応している。内部材貫通穴２２ａ及び外部材貫通穴２１ａは貫通穴８ａに対応している。【００３６】
固定具８は、図１９に示すように、様々な仕様のシートベルトにも使用可能とするため、外部材受け部２１ｂに嵌合し、取替え可能な内部材２２を備えても良い。固定具８は、この内部材２２を取り替えることにより、自動車、航空機、船舶などの様々な大きさのタング２に使用可能である。【００３７】
（Ｇ）固定用ベルト１１ａは、図１０に示すように、ベルト１１の先端に固定具８を備え、他端にフックのような留め具１１ｄを備えている。固定用ベルト１１ａにおいては、ベルト１１が固定具８に設けられたベルト取り付け部８ｃに差し込まれて折り返され、ベルト１１の折り返された先端が長さ調節具１１ｅにより固定されている。固定用ベルト１１ａの長さは調節可能である。【００３８】
固定用ベルト１１ａのベルト１１は、留め具１１ｄに設けられたベルト通し穴に差し込まれて折り返され、縫目１１ｆにおいて縫合されている。
【００３９】
（Ｈ）固定具９は、図１３及び図１４に示すように、固定用補助ベルト１１ｂとシートベルト１を接続し、固定用補助ベルト１１ｂをシートベルト１に固定する部品である。固定具９は、中央にシートベルト１を通す穴９ｄが設けられ、ベルト取り付け穴９ｆが設けられた平板体９ａと、紐９ｂによって平板体９ａと連結された棒状の固定片１０とを備えている。固定片１０は、つまみ部１０ａと、シートベルトを通す穴９ｄの開口長さよりも長い差込棒１０ｂを持つ。固定具９を用いて固定用補助ベルト１１ｂをシートベルト１に固定するには、シートベルト１を折り曲げて輪を作り、この輪を平板体９ａのシートベルトを通す穴９ｄに通し、通された輪の中９ｅに固定片１０を挿入し、この輪をなくすようにシートベルト１を引っ張る。平板体９ａのシートベルトを通す穴９ｄに凹凸部９ｃを設け、固定片１０の差込棒１０ｂに凹凸面１０ｃを設ければ、固定用補助ベルト１１ｂがシートベルト１に確実に固定される。【００４０】
（Ｉ）固定用補助ベルト１１ｂは、図１３に示すように、ベルト１１の先端に固定具９が設けられ、他端には留め具１１ｄが設けられたものである。【００４１】
固定用補助ベルト１１ｂの長さは、長さ調節具１１ｅにより調節可能である。【００４２】
（Ｊ）固定用第２補助ベルト１１ｃは、図１７に示すように、ベルト１１と、ベルト１１の両端に設けられた留め具１１ｄとを備えている。固定用第２補助ベルト１１ｃは、一端が身体固定具４と接続可能であり、他端が乗り物内の構造物と接続可能である。幼児保持具４の効果を高めるために、固定用第２補助ベルト１１ｃを複数併用しても良い。【００４３】
固定用第２補助ベルト１１ｃの長さは、長さ調節具１１ｅにより調節可能である。ベルト１１は、留め具１１ｄに設けられたベルト通し穴に差し込まれて折り返され、縫目１１ｆにおいて縫合されている。
【００４４】
（Ｋ）固定具８及び固定具９は、幼児保持具４と共に使用するだけでなく、図２０に示すように、大人の乗員又は乗客のためのシートベルト補助具として使用しても良い。【００４５】
本発明の第一実施例に係るシートベルト補助具を使用するときは、身体固定具４の取り付け具４ｅに固定用ベルト１１ａと固定用補助ベルト１１ｂを留め具１１ｄにより着脱可能に取り付ける。【００４６】
固定用ベルト１１ａの他端に設けられた固定具８は、図１２に示すように、シートベルト１の着脱機構の差し手であるタング２と受け手であるバックル３の間に挟みこむ形で使用する。上記（Ｆ）に示すとおり、固定具８には、タング差込片２ｂが、固定具８の開口面から差し込まれる。このとき、タングつまみ部２ａはタング受け部８ｂで止められ、固定具８の底面に設けられた貫通穴８ａをタング差込片２ｂのみが貫通する。そして、タング差込片２ｂは、シートベルトのバックル３に設けられたタング差込片受け穴３ｂに挿入され、バックル３と結合される。【００４７】
固定用補助ベルト１１ｂの他端に設けられた固定具９は、上記（Ｈ）に示すように、穴９ｄを備えている。この穴９ｄにシートベルト１を折り曲げて作った輪を通し、通された輪の中９ｅに固定片１０を差し込む。このとき、差込棒１０ｂの部分のみが輪の中に入る。ここで、差込棒１０ｂを平板体９ａのスリット状の穴９ｄの開口部の長手方向に平行となるように保持しながら、シートベルト１を引っ張って輪をなくすことにより、固定用補助ベルト１１ｂとシートベルトが固定される。【００４８】
固定具９を取り付ける場所は、シートベルト１の任意の部位でも良いが、より好ましくは図３に示す如く、大人１４の胴部に対して固定具８の反対側となる胴あてベルト１ａ上の部位であれば、バランスが取れて幼児を抱えやすい。【００４９】
身体固定具４は、図２及び図３に示すように、幼児１５を抱える乗員又は乗客１４の腹部にできるだけ密着させる。固定用ベルト１１ａ及び固定用補助ベルト１１ｂは、長さをそろえた上で、バランスが一番取れるように配慮してシートベルトに取り付ける。さらに両腕で幼児を抱えて身体固定具４を利用する。ベルトの長さは、幼児１５の大きさや幼児１５を抱える乗員又は乗客１４の体格に応じて長さ調節具１１ｅにより調節する。【００５０】
身体固定具４の使用方法には、幼児を横向きに寝かせて使用する方法、幼児を起こした状態で対面して抱える方法、幼児が幼児を抱える乗員又は乗客と同じ方向を向くように幼児を起こした状態で抱える方法があるが、幼児を横向きに寝かせて使用する方法が推奨される。【００５１】
複数の幼児を乗り物に乗せる時のように、幼児を1人でシートベルト１に固定する場合は、図２１に示すように、固定用ベルト１１ａと固定用補助ベルト１１ｂを用いて身体固定具４をシート１２に固定し、さらに、固定用第２補助ベルト１１ｃを併用して前のシートのヘッドレスト１２ａを支持するヘッドレスト指示棒１２ｂや図３に示す取っ手１３等に固定することが推奨される。ここで、固定用第２補助ベルト１１ｃは、ベルト１１と、ベルト１１の両端に取り付けられた留め具１１ｄとを備えている。【００５２】
図２１において固定用第２補助ベルト１１ｃは、外装体側面部４ｇの外側面の折り部４ｈ近傍に設けられた取り付け具４ｅに取り付けられている。ここで、固定用第２補助ベルト１１ｃを外装体側面部４ｇのふち部に設けられた取り付け具４ｅに取り付けることとしても良い。【００５３】
［第二実施例］
本発明の第二実施例について図４から図１２、図１５、図１６を利用して説明する。本発明の第二実施例に係るシートベルト補助具は、航空機のシートベルトのような２点式シートベルトであって、乗員又は乗客の腹部中央位置で着脱操作を行うシートベルトと共に使用される。【００５４】
航空機のシートベルトの場合には、図１５に示すように、２本のシートベルト胴あて部１ａの自由端にそれぞれ取り付けられたタング１７及びバックル１９を乗員又は乗客の腹部中央位置で着脱する。図１５に示す座席は肘掛け２０を備えている。【００５５】
シートベルト補助具は、図１５に示すように、身体固定具４と、固定用ベルト１１ａとを備えている。身体固定具４は、幼児の身体の少なくとも頭部から腰部までを固定することが可能である。固定用ベルト１１ａは、一端が身体固定具４に着脱可能であり、他端には航空機のシートベルト用の固定具１８が設けられている。シートベルトの着脱機構を構成している差し手のタング１７及び受け手のバックル１９は、固定具１８が間に介在した状態で互いに嵌合する。固定具１８は、シートベルトの着脱機構の操作及び機能を阻害しないから、タング１７とバックル１９は、着脱可能、且つ、堅牢に嵌合する。第二実施例におけるシートベルトは、着脱機構の大きさが第一実施例におけるものよりも若干大きいが、着脱機構の操作方法及び機能は第一実施例におけるものとほとんど同じである。第二実施例におけるシートベルト補助具の構造は、第一実施例について説明した上記（Ａ）から（Ｇ）、及び（Ｉ）から（Ｋ）に記載されているものと同一である。第二実施例に係るシートベルト補助具の構造を要約すると、乗員又は乗客の腹部中央位置で着脱するように設けられたシートベルトの着脱機構に一端が接続される１本の固定用ベルト１１ａと、固定用ベルト１１ａの他端に設けられた身体固定具４とを備えることを基本構造とし、必要に応じて固定用第２補助ベルト１１ｃを備える。【００５６】
第二実施例に係るシートベルト補助具を使用するときは、図１５に示すように、身体固定具の取り付け具４ｅに固定用ベルト１１ａを留め具１１ｄにより取り付ける。【００５７】
固定用ベルト１１ａの一端に設けられた固定具１８は、図１６に示すように、シートベルトの着脱機構の差し手であるタング１７と受け手であるバックル１９の間に挟みこむ形で使用する。第一実施例についての上記（Ｆ）に示すものと同様に、固定具１８には、タング差込片１７ｂが、固定具１８の開口面から差し込まれる。このとき、タングつまみ部１７ａはタング受け部１８ｂで止められ、タング差込片１７ｂのみが開口面の反対側の面に設けられた貫通穴１８ａを貫通する。そして、タング差込片１７ｂは、シートベルトのバックル１９に設けられた受け穴１９ａに挿入され、バックル１９と結合される。【００５８】
身体固定具４は、図１５に示すように、幼児を抱える乗員又は乗客の腹部にできるだけ密着させるようにし、バランスが一番取れるように配慮した上でシートベルトに取り付ける。さらに両腕で幼児を抱えて身体固定具４を利用する。固定用ベルト１１ａの長さは、幼児の大きさや幼児を抱える乗員又は乗客の体格に応じて長さ調節具１１ｅにより調節する。【００５９】
身体固定具の使用方法には、幼児を横向きに寝かせて使用する方法、幼児を起こした状態で対面して抱える方法、幼児が幼児を抱える乗員又は乗客と同じ方向を向くように幼児を起こした状態で抱える方法があるが、幼児を横向きに寝かせて使用する方法が推奨される。【００６０】
幼児を1人でシートベルト１に固定する場合は、第一実施例と同様に、固定用ベルト１１ａを用いて身体固定具４を座席に固定し、さらに、固定用第２補助ベルト１１ｃを併用して乗り物内の適当な部位に固定することが推奨される。ここで、固定用第２補助ベルト１１ｃは、ベルト１１と、ベルト１１の両端に取り付けられた留め具１１ｄとを備えている。【００６１】
[第三実施例]
本発明の第三実施例について図２０を利用して説明する。本発明の第三実施例に係るシートベルト補助具は、通常の２点式シートベルトと共に使用される。【００６２】
シートベルト補助具は、一般的な乗用車の後部中央座席や航空機のシートベルトのような２点式のシートベルトと共に使用される。シートベルト補助具は、一端にフックのような留め具１１ｄが設けられ、他端に固定具８が設けられた固定用ベルト１１ａを備えている。ここで、留め具１１ｄは、つり革やヘッドレスト１２ａを支持するヘッドレスト支持棒１２ｂのような乗り物内の所定の部位に着脱可能である。シートベルトの着脱機構を構成している差し手のタング２及び受け手のバックル３は、固定具８が間に介在した状態で互いに嵌合する。固定具８は、シートベルト１の着脱機構の操作及び機能を阻害しないから、タング２とバックル３は、着脱可能、且つ、堅牢に勘合する。【００６３】
シートベルト補助具を使用するときは、図２０に示すように、固定用ベルト１１ａの一端に設けられた留め具１１ｄをヘッドレスト支持棒１２ｂに取付け、他端に設けられた固定具８を第一及び第二実施例において説明したように乗り物に設けられた着脱機構に挟み込む形で固定する。固定具８の詳細な使用方法の説明は前述と同一のため割愛する。これにより、固定用ベルト１１ａは、幼児を固定する用途のためだけではなく、大人用のシートベルト補助具としても使用可能である。固定用ベルトを使用すれば、２点式シートベルトを３点式シートベルトのように利用することが可能になる。固定用ベルト１１ａは、長さ調節機能や伸縮機能を備えても良い。【００６４】
身体固定具４は、衝突時に子供にかかる衝撃を、頭部及び背中を中心とした体の裏面全体で受け止める構造をしている。身体を包み込む外装体４ａと、少なくとも頭部から腰部を固定する背面板５と、クッション６と、身体固定ベルト７とを併用することにより、少なくとも頭部から腰部までが固定され、特に、頚部が安定する。【００６５】
本発明によるシートベルト補助具は、既存のシートベルトの構造に改変を加えることなく使用可能である。このシートベルト補助具は、シートベルトの着脱機能を阻害することなく幼児と幼児を抱えている乗員又は乗客をシートに固定することができる。【００６６】
本発明によるシートベルト補助具は、通常の２点式シートベルト、３点式シートベルトだけでなく、航空機で使用されるシートベルトのように乗員又は乗客の腹部中央位置で着脱を行なう構造のシートベルトをはじめ、様々なシートベルトと共に使用することが可能である。【００６７】
乗用車の３点式シートベルトにおいては、衝突の際にベルトが巻き上げられる。本発明による身体固定具を使用すれば、このベルトを巻き上げる力が幼児に直接作用することが防がれる。【００６８】
シートベルトが巻き上げられる方向が図３に示されている。シートベルト胴あて部１ａ及びシートベルト胸あて部１ｂは、それぞれ矢印１６が示す方向に巻き取られる。【００６９】
乗員又は乗客１４は、図３に示すように、シート１２に座って幼児１５を膝の上に抱えている。乗員又は乗客１４の後頭部はヘッドレスト１２ａに接触している。幼児１５を包んでいる身体固定具４は、固定用ベルト１１ａと、固定用補助ベルト１１ｂと、固定用第２補助ベルト１１ｃとにより固定されている。固定用ベルト１１ａの固定具８は、バックル３に固定されており、固定用ベルト１１ａの留め具１１ｄは、身体固定具側面部４ｇのふち部に設けられている取り付け具４ｅに取り付けられている。固定用補助ベルト１１ｂの固定具９は、乗員又は乗客１４の胴部に対して固定具８の反対側となる胴あてベルト１ａ上の部位に固定されており、固定用補助ベルト１１ｂの留め具１１ｄは、身体固定具側面部４ｇのふち部に設けられている取り付け具４ｅに取り付けられている。固定用第２補助ベルト１１ｃの一の留め具１１ｄは、前のシートに取り付けられている取っ手１３に固定されており、固定用第２補助ベルト１１ｃの他の留め具１１ｄは、身体固定具側面部４ｇの折り部４ｈ近傍の位置に設けられた取り付け具４ｅに取り付けられている。【００７０】
ここで、固定用第２補助ベルト１１ｃの他の留め具１１ｄを身体固定具側面部４ｇのふち部に設けられている取り付け具４ｅに取り付ければ、身体固定具４が幼児１５の正面に位置するふち部において吊り下げられる。このため、幼児１５に強い慣性力が働いた場合には、幼児１５は身体固定具４によって背中側から支持される。【００７１】
図３に示すように固定用第２補助ベルト１１ｃの身体固定具４に取り付けられていない方の留め具１１ｄを取っ手１３に固定するかわりに、図１８に示すように前のシートのヘッドレスト１２ａを支持するヘッドレスト指示棒１２ｂに固定しても良い。この場合も、固定用第２補助ベルト１１ｃのヘッドレスト支持棒１２ｂに固定されていない方の留め具１１ｄを身体固定具側面部４ｇのふち部に設けられている取り付け具４ｅに取り付けることが可能である。【００７２】
本発明によるシートベルト補助具の着脱はきわめて簡単に行なうことができる。固定具８は、図１に示すロック解除ボタン３ａを押せば、タング２とともにバックル３から外れる。固定具９は、固定片１０を引き抜けば、シートベルトから外れる。【００７３】
固定片１０の差込棒１０ｂを、つまみ部１０ａに接合されている基部から先端にかけて細くなる形状とすることで、固定片１０を輪の中９ｅから容易に引き抜くことができる。また、つまみ部１０ａを持って固定片１０を輪の中９ｅで回転させれば、差込棒１０ｂを締めつけているシートベルト１が緩み、固定片１０を輪の中９ｅから引き抜くことが容易になる。つまみ部１０ａの幅を差込棒１０ｂの幅よりも大きくしておけば、小さな力で固定片１０を回転させることができる。【００７４】
図１に示すように、身体固定具４を固定用ベルト１１ａ及び固定用補助ベルト１１ｂにより２点で固定した場合は、車両のシートベルトと同等の座席に固定する効果が期待される。図３に示すように、さらに固定用第２補助ベルト１１ｃにより身体固定具４を車両の適当な部位に接続し、身体固定具４を３点以上で固定すると、身体固定具４はより確実に固定される。固定用第２補助ベルト１１ｃを使用すると、子供を抱えている乗員又は乗客にかかる子供の体重が軽減され、子供はリクライニングシートの背もたれを倒したときのように楽な姿勢をとることができるので、長時間の使用も快適である。【００７５】
固定用ベルト１１ａや固定用補助ベルト１１ｂは、図２０に示すように、乗員又は乗客を座席に固定するために使用可能である。
【図１】
0003988085.tif 000002
【図２】
0003988085.tif 000003
【図３】
0003988085.tif 000004
【図４】
0003988085.tif 000005
【図５】
0003988085.tif 000006
【図６】
0003988085.tif 000007
【図７】
0003988085.tif 000008
【図８】
0003988085.tif 000009
【図９】
0003988085.tif 000010
【図１０】
0003988085.tif 000011
【図１１】
0003988085.tif 000012
【図１２】
0003988085.tif 000013
【図１３】
0003988085.tif 000014
【図１４】
0003988085.tif 000015
【図１５】
0003988085.tif 000016
【図１６】
0003988085.tif 000017
【図１７】
0003988085.tif 000018
【図１８】
0003988085.tif 000019
【図１９】
0003988085.tif 000020
【図２０】
0003988085.tif 000021
【図２１】
0003988085.tif 000022